(57)【特許請求の範囲】
【請求項１】
老朽化化学兵器を１個づつ透明な樹脂で被覆して固化させることを特徴とする老朽化化学兵器の前処理方法。
【請求項２】
老朽化化学兵器を１個づつ外観検査した後、透明な樹脂で被覆して固化させることを特徴とする老朽化化学兵器の前処理方法。
【請求項３】
透明な樹脂が注形用熱硬化性樹脂であり、硬化剤の添加量、促進剤の添加量及び硬化時間の少なくともいずれかを調節することにより、樹脂硬化時の発熱温度を制御する請求項１又は２記載の老朽化化学兵器の前処理方法。
【請求項４】
樹脂硬化時の発熱温度を４０℃以下とする請求項３記載の老朽化化学兵器の前処理方法。
【発明の詳細な説明】
【０００１】
【発明の属する技術分野】
本発明は、国内に残留している老朽化化学兵器、又は国外に遺棄された化学兵器（以下、単に老朽化化学兵器と略すことがある）の前処理方法に関するものである。
【０００２】
【従来の技術】
老朽化化学兵器、遺棄化学兵器は長期間、土中に埋っていたため、表面の腐食、損傷が激しい。掘り出された化学兵器は、検査、前処理、本処理、後処理と順次処理される。
【０００３】
本出願人の調査の結果、本発明に類似又は関連する発明は検索できず、特公平４−５２３４１号公報に記載されているように、爆薬を用いてＦＲＰ構造体を解体する方法等しか検索されなかった。
【０００４】
【発明が解決しようとする課題】
掘り出した化学兵器の検査、前処理等を行う場合、化学兵器を固定具で挟持する等して固定する必要があるが、化学兵器の外殻が損傷しているため、強度が弱くその固定が困難であるか、弱い固定力しか得られない場合が多く、挟持部分が破損したりして、検査、前処理等を実施することができないか、又は切断、開孔等の作業の方法の選択範囲が制限を受け、適切な前処理が実施できなくなる場合が発生する。
【０００５】
本発明は上記の点に鑑みなされたもので、本発明の目的は、掘り出した化学兵器を検査、前処理、本処理、後処理を順次行う間のハンドリング性を改善するために、化学兵器を１個づつ透明なプラスチックで固化する老朽化化学兵器の前処理方法を提供することにある。
【０００６】
【課題を解決するための手段】
上記の目的を達成するために、本発明の老朽化化学兵器の前処理方法は、老朽化化学兵器を１個づつ透明な樹脂で被覆して固化させるように構成されている。また、本発明の老朽化化学兵器の前処理方法は、老朽化化学兵器を１個づつ外観検査した後、透明な樹脂で被覆して固化させることを特徴としている。
【０００７】
これらの方法において、透明な樹脂が注形用熱硬化性樹脂であり、硬化剤の添加量、促進剤の添加量及び硬化時間の少なくともいずれかを調節することにより、樹脂硬化時の発熱温度を制御する。
この場合、樹脂硬化時の発熱温度を４０℃以下とする。
【０００８】
【発明の実施の形態】
以下、本発明の実施の形態について説明するが、本発明は下記の実施の形態に何ら限定されるものではなく、適宜変更して実施することができるものである。図１は本発明の実施の第１形態による老朽化化学兵器の前処理方法を実施した状態の化学兵器まわりの断面を示し、図２は図１における２−２線断面を示している。
掘り出した老朽化化学兵器又は遺棄化学兵器１０を１個づつ外観検査した後、容器（図示略）に台１２を介して収納し、透明な注形用熱硬化性樹脂と、硬化剤、促進剤、その他添加剤の混合物を注入し固化させ、ついで容器から取り出して、図１及び図２に示すような前処理構造体１４を形成する。１６は透明樹脂層、１８は兵器頭部、２０は兵器本体である。なお、兵器頭部１８と円筒部２２内には、火薬（炸薬）１９が充填されている。
【０００９】
樹脂には適切な硬化剤、促進剤等の添加剤が添加され、これら添加剤の条件を変更することで、硬化時間を設定することにより、樹脂硬化時の発熱温度を制御する。例えば、外気温度２５℃で、硬化している樹脂の温度を４０℃以下に抑制することができる。なお、樹脂の温度がこの温度を超える場合は、安全性の点で問題がある。
透明な注形用熱硬化性樹脂としては、Ｇ−２２６、Ｇ−２２７（（株）日本触媒、登録商標「エポラック」を挙げることができる。
また、硬化剤としては、ＣＡＴ−Ｍ、ＣＡＴ−Ｂ（（株）日本触媒）を挙げることができる。また、促進剤としては、ＰＲＯ−ＫＮ、ＰＲＯ−ＫＮＳ（（株）日本触媒）を挙げることができる。
【００１０】
得られた前処理構造体１４においては、内部の化学兵器１０をよく観察することができ、以後の検査（Ｘ線検査等の非破壊検査）や、前処理（ウォータージェット等による切断、ドリル等による孔開け）は、透明樹脂で固化された状態のままで行うことができる。
【００１１】
つぎに、図３〜図５に基づいて、開孔、切断等の箇所を具体的に示しながら説明する。図３における１０ａは掘り出した老朽化化学兵器又は遺棄化学兵器で、斜線の部分は腐食・損傷個所２４である。
この化学兵器１０ａを透明樹脂で被覆し固化させて図４に示す前処理構造体１４ａとする。樹脂層１６の厚みは薄い方が好ましいので、強度が保持できる程度に薄くする。また、安全のために発熱温度を極力低くする。
樹脂層１６は透明であるので、そのまま外観検査を行うことができる。また、前処理構造体１４ａは固定し易いので、自由な（任意の）方向からＸ線検査を行うことができる。また、ＰＩＮＳ等のＸ線検査と同種の検査を行うことも可能である。なお、ＰＩＮＳとは、Ｐｏｔａｂｌｅ  Ｉｓｏｔｏｐｉｃ  Ｎｅｕｔｒｏｎ  Ｓｐｅｃｔｒｏｓｃｏｐｙ（携帯式中性子分析装置）を指称し、γ線を検知することにより、砲弾内部の化学剤を確認する。γ線のピーク特性から、化学剤の種類、濃度がわかる。
【００１２】
上記のように、前処理構造体１４ａ及び化学兵器１０ａの固定がしっかり出来るのと、樹脂層１６が透明であるため、図４における（１）、（２）、（３）等の希望の位置に正確に孔を開けることができる。また、同じ理由により、希望の道具で、希望の位置、例えば図４における（Ａ）、（Ｂ）等の位置で正確に切断することが可能である。
【００１３】
【発明の効果】
本発明は上記のように構成されているので、つぎのような効果を奏する。
（１）  老朽化化学兵器を透明な樹脂により被覆し固化することによって、ハンドリング、固定が自由、かつ容易となる。
（２）  上記（１）の理由により、Ｘ線検査等やこの種の非破壊検査を自由な（任意の）方向から行うことが可能となり、正確な検査を行うことができる。
（３）  上記（１）の理由により、切断・開孔等を行う場合、固定を確実に行うことができるため、その方法の選択範囲が広く、適切な方法を選択することができる。
【図面の簡単な説明】
【図１】本発明の実施の第１形態による老朽化化学兵器の前処理方法を実施した前処理構造体の縦断面説明図である。
【図２】図１における２−２線断面図である。
【図３】老朽化化学兵器の一例を示す正面図である。
【図４】図３に示す化学兵器に前処理を施した状態の前処理構造体の縦断面説明図である。
【図５】図４における５−５線断面図である。
【符号の説明】
１０、１０ａ  化学兵器
１２  台
１４、１４ａ  前処理構造体
１６  透明樹脂層
１８  兵器頭部
１９  火薬（炸薬）
２０  兵器本体
２２  円筒部
２４  腐食・損傷個所
【図１】
0004435962.tif 000002
【図２】
0004435962.tif 000003
【図３】
0004435962.tif 000004
【図４】
0004435962.tif 000005
【図５】
0004435962.tif 000006